Podtech/llm-jp-corpus-v4-ja_patent huggingface dataset:
(57)【要約】      （修正有）【課題】芳香のための電気エネルギーを使用せずに芳香させることができる予熱利用による芳香機能付き液晶ディスプレイモニターを提供する。【解決手段】液晶ディスプレイモニター本体の筐体１の背面に箱状ケース２を設け、その中に液体芳香（アロマ）剤を染み込ませたスポンジなどの多孔質物質またはガラス繊維などの繊維質物質４を入れて、上蓋枠３でスポンジなどの多孔質物質またはガラス繊維などの繊維質物質４を固定する。液晶ディスプレイパネルの発熱による余熱を通気孔よりスポンジなどの多孔質物質またはガラス繊維などの繊維質物質４に伝導させる。【選択図】図１
0003157385.tif 000002
【実用新案登録請求の範囲】
【請求項１】
液晶薄型テレビやパソコンの液晶ディスプレイモニター及びデジタルフォトフレームなどに内蔵される液晶ディスプレイパネルの電源投入時の発熱による余熱を利用して、当該液晶ディスプレイモニターの筐体背面に芳香（アロマ）剤入りのケースを設け、当該芳香（アロマ）剤入りケースの中に液体芳香剤を染み込ませた多孔質物質または繊維質物質を設けることにより、他に電気エネルギーまたは電球点灯による熱エネルギーを必要とせずに芳香させところを特徴とする余熱利用による芳香機能付き液晶ディスプレイモニター
【考案の詳細な説明】
【技術分野】
【０００１】  本考案は、液晶ディスプレイパネルの発熱による余熱を利用することにより、他に電気エネルギーまたは電球点灯による熱エネルギーを必要とせずに芳香機能を設けた液晶ディスプレイモニターに関するものである。
【背景技術】
【０００２】  ランプ等の電球の発熱を利用した従来の芳香器は、ランプ点灯のための電源を必要とし、芳香のために電気エネルギーを必要とする芳香器であった。
【先行技術文献】
【特許文献】
【０００３】
【特許文献１】  登録実用新案第３０８６６７０号  公報
【非特許文献】
【０００４】
【非特許文献１】  ｈｔｔｐ：／／ａｒｏｍａｓｅｎｋａ．ｃｏｍ／ＳＨＯＰ／Ｌ０１０．ｈｔｍｌ  ＡｒｏｍａＳｅｎｋａ  インターネットＷＥＢサイト，生活の木「アロマ・デ・ライト」，アロマオイル通販「アロマ専科」
【考案の概要】
【考案が解決しようとする課題】
【０００５】  従来の電球を用いた芳香器では、芳香させるために必要な熱エネルギーを確保するために電球を点灯させる電気エネルギーを使用する必要があるという課題があった。
【課題を解決するための手段】
【０００６】  本考案は、薄型テレビやパソコンのディスプレイモニター及びデジタルフォトフレームなどに内蔵される液晶ディスプレイパネルでは、電源の投入時に液晶ディスプレイパネル自体が発熱する。当該液晶ディスプレイパネルに液体芳香剤を染み込ませた多孔質物質または繊維質物質を接触させることにより、その発熱による余熱を利用することで芳香機能自体に電気エネルギーを使用することなく香気成分を揮発させ芳香することを可能とし、前述の電気エネルギーを必要とせず課題の解決とするものである。
【考案の効果】
【０００７】  上述の様に、本考案の芳香機能付き液晶ディスプレイモニターは、液晶ディスプレイモニターにより映像または画像を視聴できることは勿論、同時に当該液晶ディスプレイモニターを設置した室内空間に芳香効果を与えることができ、アロマテラピー（芳香療法：神経の鎮静やストレスの軽減を図り、心身の健康を保たせようとする療法）効果を電気エネルギーを必要とせず省エネルギーにて提供することができる。
【図面の簡単な説明】
【０００８】
【図１】本考案のデジタルフォトフレームの実施例を示す筐体背面の見取図である。
【図２】本考案の芳香剤入りケースの実施例を示す一部欠断面図である。
【考案を実施するための形態】
【０００９】  液晶ディスプレイパネルを内蔵する液晶ディスプレイモニターの筐体背面に、液体芳香剤を染み込ませたスポンジまたはガラス繊維などの多孔質物質または繊維質物質を入れることができる箱状ケースを固定して、そのケースの底面に液晶ディスプレイモニターが発熱する余熱をそのスポンジまたはガラス繊維などに効率良く伝導させるために通気孔を設ける。又、そのスポンジまたはガラス繊維を固定する上蓋枠を箱状ケースの上に固定する。その上蓋枠は、そのスポンジまたはガラス繊維に染み込ませた液体芳香剤が液晶ディスプレイモニターの発熱による余熱によって揮発し芳香するために上部を抜いた形状に形成となる。
【実施例】
【００１０】  以下、添付図面に従ってデジタルフォトフレームの実施例を説明する。液体芳香剤を染み込ませた４の直方体のスポンジまたはガラス繊維などの多孔質物質または繊維質物質を入れることができる２の箱状のケースは、耐久性のあるプラスチック等適宜素材にて形成され、１のデジタルフォトフレームの筐体背面に接着固定する。【００１１】  ２の箱状ケースの底面に液晶表示装置が発熱する余熱を、４のスポンジまたはガラス繊維などに効率良く伝導させるために５の通気孔を設ける。【００１２】  ４の直方体のスポンジまたはガラス繊維などの多孔質物質または繊維質物質を固定することができる３の上蓋枠は、耐久性のあるプラスチック等適宜素材にて形成され、２の箱状ケースの上部に固定する。３の上蓋枠は、揮発する芳香成分を蒸散させやすくするために上部を抜き開放した形状となる。
【符号の説明】
【００１３】１  デジタルフォトフレームの筐体
２  箱状ケース
３  上蓋枠
４  スポンジまたはガラス繊維などの多孔質物質または繊維質物質
５  通気孔
【図１】
0003157385.tif 000003
【図２】
0003157385.tif 000004
(57)【要約】      （修正有）【課題】汗などの侵入によって剥れ落ちることなく、又、耐久性、信頼性が高い、プラスチックフレームの鼻当て部の高さを調整する鼻盛り部材を提供する。【解決手段】略半円形の平面形状をなし、裏面側に粘着層が形成された一対のシリコーンゴム製のパッド片１，２が、それぞれ円弧部側縁に延設されたヒンジ片４によって一体的に接続され、略蝶形の平面形状を呈しており、一方のパッド片の表面側には高さ１〜４ｍｍの盛り上り部が形成されていると共に、もう一方のパッド片は厚さが１．５ｍｍ以下の平板状に形成されており、前記ヒンジ部を中心として山折りし、盛り上げ部５を有するパッド片を鼻当て部の表面側に、平板状のパッド片を鼻当て部７の裏面側にそれぞれ貼着せしめる様にした。【選択図】図５
0003157348.tif 000002
【実用新案登録請求の範囲】
【請求項１】
略半円形の平面形状をなし、裏面側に粘着層が形成された一対のシリコーンゴム製のパッド片が、それぞれ円弧部側縁に延設されたヒンジ片によって一体的に接続され、略蝶形の平面形状を呈しており、一方のパッド片の表面側には高さ１〜４ｍｍの盛り上り部が形成されていると共に、もう一方のパッド片は厚さが１．５ｍｍ以下の平板状に形成されており、前記ヒンジ部を中心として山折りし、盛り上げ部を有するパッド片を鼻当て部の表面側に、平板状のパッド片を鼻当て部の裏面側にそれぞれ貼着せしめる様にしたことを特徴とするプラスチックフレーム用鼻盛り部材。
【考案の詳細な説明】
【技術分野】
【０００１】
この考案は、プラスチックフレーム用鼻盛り部材、詳しくはプラスチックフレームの鼻当てに貼り付けてメガネのズリ落ちを防止するための部材に関するものである。
【背景技術】
【０００２】
一般的に、メガネは標準的な顔の大きさに合わせて作られているが、各人の鼻のサイズや高さはそれぞれ異なっているため、メガネのズリ落ちを防止するには、各人の鼻の巾や高さに合った最適の鼻当てを選択する必要がある。
【先行技術文献】
【特許文献】
【０００３】
【特許文献１】実開昭６３−１８５１１９号公報
【非特許文献】
【０００４】
【非特許文献１】なし
【考案の開示】
【考案が解決しようとする課題】
【０００５】
しかしながら、従来のプラスチック製メガネフレームの鼻当ては、標準的な鼻の巾、高さに合わせて作られており、しかも本体と一体的に作られ、調整は全く出来ない為、顔にフィットしないメガネフレームをそのまま使用しなければならないのが実状であった。従って、メガネのズリ落ちを防ぐことはほとんど不可能であった。
【０００６】
この為、特許文献１に記載されている様な鼻盛り部材も提案されたが、メガネフレームの鼻当て部との接着面に汗などが侵入して鼻盛り部材自体が剥れ落ちてしまう場合があり、耐久性、信頼性において必ずしも満足出来るものではなかった。
【０００７】
本考案者は、プラスチックフレーム用鼻盛り部材に関する上記問題点を解決すべく研究を行った結果、従来のものに比べ格段に強固に取付けることが出来、汗などの侵入によって剥れ落ちる心配がほとんどないプラスチックフレーム用鼻盛り部材を開発することに成功し、本考案として提案するものである。
【課題を解決するための手段】
【０００８】
略半円形の平面形状をなし、裏面側に粘着層が形成された一対のシリコーンゴム製のパッド片が、それぞれ円弧部側縁に延設されたヒンジ片によって一体的に接続され、略蝶形の平面形状を呈しており、一方のパッド片の表面側には高さ１〜４ｍｍの盛り上り部が形成されていると共に、もう一方のパッド片は厚さが１．５ｍｍ以下の平板状に形成されており、前記ヒンジ部を中心として山折りし、盛り上げ部を有するパッド片を鼻当て部の表面側に、平板状のパッド片を鼻当て部の裏面側にそれぞれ貼着せしめる様にしたプラスチックフレーム用鼻盛り部材によって、上記課題を解決した。
【考案の効果】
【０００９】
ヒンジ片を中心として、山折りし、盛り上り部が設けられているパッド片の粘着層をプラスチックフレームの鼻当て部の表面側に、平板状のパッド片の粘着層をその裏面側に貼付して、プラスチックフレームの鼻当て部に固定して使用に供するものであり、盛り上り部によって鼻当て部の高さが調整され、最適なフィット感がもたらされ、ズリ落ちが阻止される。
【００１０】
又、この鼻盛り部材は、プラスチックフレームの鼻当て部の表面側だけではなく、裏面側にも貼着されるので、より確実に固定が行われ、汗等の侵入によって剥れ落ちるおそれもほとんどなく、いつまでも安心して使用することが出来るすぐれた耐久性、信頼性を有する。
【図面の簡単な説明】
【００１１】
【図１】この考案に係るプラスチックフレーム用鼻盛り部材の一実施例の平面図。
【図２】同じく、その側面図。
【図３】同じく、その斜視図。
【図４】同じく、山折りした状態の側面図。
【図５】プラスチックフレームに実際に取付ける直前の状況の斜視図。
【図６】同じく、プラスチックフレームに取付けた後の状況の斜視図。
【考案を実施するための形態】
【００１２】
全体を略蝶形平面形状とし、これを山折りにしてプラスチックフレームの鼻当て部材の表裏に貼付する様にした点に最大の特徴が存する。
【実施例】
【００１３】
図１はこの考案に係るプラスチックフレーム用鼻盛り部材の一実施例の平面図図２は、その側面図である。
【００１４】
図中１及び２はパッド片であり、シリコーンゴムを素材とし、それぞれ略半円形の平面形状を有し、裏面側には粘着層３が形成されており、それぞれの円弧部側縁に延設されたヒンジ片４によって一体的に接続され、図１及び図３に示す様に、略蝶形の平面形状を呈している。そして、一方のパッド片１の表面側には、高さ１〜４ｍｍの盛り上り部５が形成されていると共に、もう一方のパッド片２は厚さが１．５ｍｍ以下になる様に平板状に形成されている。
【００１５】
この鼻盛り部材は上記の通りの構成を有するものであり、図４に示す様にヒンジ片４を中心として、山折りし、図５及び図６に示す様に、盛り上り部５が設けられているパッド片１の粘着層３をプラスチックフレーム６の鼻当て部７の表面側に、平板状のパッド片２の粘着層３をその裏面側に貼付して、プラスチックフレーム６の鼻当て部７に固定して使用に供するものであり、盛り上り部５によって鼻当て部７の高さが調整され、最適なフィット感がもたらされ、ズリ落ちが阻止される。その際、この鼻盛り部材は、プラスチックフレーム６の鼻当て部７の表面側だけではなく、裏面側にも貼着されるので、より確実に固定が行われ、汗等の侵入によって剥れ落ちるおそれもほとんどなく、いつまでも安心して使用することが出来るすぐれた耐久性、信頼性を有する。
【産業上の利用可能性】
【００１６】
視力矯正用メガネだけではなく、サングラス等あらゆるプラスチックフレームにおいても利用可能である。
【符号の説明】
【００１７】
１．パッド片
２．パッド片
３．粘着層
４．ヒンジ片
５．盛り上り部
６．プラスチックフレーム
７．鼻当て部
【図１】
0003157348.tif 000003
【図２】
0003157348.tif 000004
【図３】
0003157348.tif 000005
【図４】
0003157348.tif 000006
【図５】
0003157348.tif 000007
【図６】
0003157348.tif 000008
(57)【要約】【課題】ワンタッチ式前掛けであって、着脱具が衣類や人を傷つけることがないものを提供する。【解決手段】  着用者の少なくとも下半身前面を覆うシート状の本体（２）と、前記本体（２）の腰部相当位置に設けられた中空通路（２１）と、前記中空通路（２１）に収納される着脱具（４）からなる前掛け（１）である。前記着脱具（４）は、両端が閉じられていない環状部材であって、弾性を有し、かつ、前記両端に保護用キャップ（４７，４８）が取り付けられている。【選択図】図１
0003157347.tif 000002
【実用新案登録請求の範囲】
【請求項１】
着用者の少なくとも下半身前面の一部を覆うシート状の本体（２）と、
前記本体（２）の腰部相当位置に設けられた中空通路（２１）と、
前記中空通路（２１）に収納される着脱具（４）からなる前掛け（１）であって、
前記着脱具（４）は、両端が閉じられていない環状部材であって、弾性を有し、かつ、前記両端に保護用キャップ（４７，４８）が取り付けられている
ことを特徴とする前掛け（１）。
【請求項２】
前記着脱具（４）を構成する環状部材は、３つの合成樹脂製中空筒体（４１，４２，４３）が連結部（４４，４５）を介して横一列に連なったものであり、中央の比較的大きい中空筒体（４１）の中に弾性体（４６）が収容されているものである請求項１記載の前掛け。
【請求項３】
前記着脱具（４）の両端保護用キャップ（４７，４８）が肉厚の合成樹脂からなる請求項１又は２記載の前掛け。
【考案の詳細な説明】
【技術分野】
【０００１】
本考案は、前掛けに関する。前掛けとしては、下半身前面に着用する家庭的なものから調理場や魚河岸などで職人が着用することの多い胸当てのついたものまで広く含まれる。
【背景技術】
【０００２】
周知のように、通常、前掛けには腰ひもが取り付けられており、この腰ひもを腰に巻き付けて背中側で両端を結び固定している。しかし、腰ひもを使用しないタイプの前掛けも公知であり、たとえば実開昭５５−７６７号、実開昭５７−１７６４１０号が知られている。
【考案の概要】
【考案が解決しようとする課題】
【０００３】
上記従来技術では、ひもの代わりに両端が閉じていない、弾性材料からなる環状部材を使用することにより、ワンタッチで前掛けが取り付けられるようにしている。しかし、図示された実施例を見ると、これら弾性材料の端部はそのまま露出している。そのため、着脱時に環状部材を拡張させ、手を離した瞬間に勢い余ってその端部が衣類を引き裂いたり、手や腰にけがをさせたりする危険があるものであった。また、前掛けは水分の多い場所で使用することが多いが、環状部材の一部に金属を使用したとき、水分が環状部材の中にしみ込み、その金属を腐食させることがあった。
【０００４】
本考案はこれらの問題を解決するために行われたもので、弾性材料の端部にキャップを被せることにより、そのような問題を排除した安全な前掛けを提供することを目的とする。
【課題を解決するための手段】
【０００５】
本考案の前掛けは、着用者の少なくとも下半身前面の一部を覆うシート状の本体と、前記本体の腰部相当位置に設けられた中空通路と、前記中空通路に収納される着脱具からなる前掛けであって、前記着脱具は、両端が閉じられていない環状部材であって、弾性を有し、かつ、前記両端に保護用キャップが取り付けられていることを特徴とする。
【０００６】
前記着脱具を構成する環状部材は、たとえば、３つの合成樹脂製中空筒体が連結部を介して横一列に連なったものであり、中央の比較的大きい中空筒体の中に弾性体が収容されているものである。
【考案の効果】
【０００７】
本考案の前掛けは、両端が閉じられていない環状部材であって、弾性を有する着脱具を備えているので、ワンタッチで取り付けが可能であり、ひもを結ぶ手間を省くことができる。さらに、この環状部材の両端に保護用キャップが取り付けられているので、不用意に着用者の衣類や人を傷つけることがない。また、この保護用キャップが水分の浸透を防ぐため、環状部材の腐食を防止することができる。
【図面の簡単な説明】
【０００８】
【図１】本考案の実施例にかかる前掛けを裏側から見た斜視図である。
【図２】本考案の実施例で使用する弾性材料からなる環状部材の斜視図である。
【図３】（ａ）（ｂ）は、図２における矢印箇所の断面図である。
【考案を実施するための形態】
【０００９】
以下、添付の図面に基づいて、本考案の実施例を説明する。
【実施例１】
【００１０】
図示の前掛け１は、調理場や魚河岸などで職人が着用することの多い胸当てのついたものである。下半身を覆うとともに胸まで伸びるシート状の本体２と、本体２の上端に取り付けられる首掛け用のひも３を有する。本体２の腰部相当位置には、本考案の特徴でもある前掛け着脱具４が取り付けられており、その装着用に中空通路２１が形成されている。本体２は布地又はビニール等の合成樹脂シートであるのが普通である。
【００１１】
前掛け着脱具４は、図２に示すようなもので、両端が閉じていない環状部材である。図３（ｂ）の断面図に示すように、この着脱具４は、３つの合成樹脂製中空筒体４１，４２，４３が連結部４４，４５を介して横一列に連なったものであり、中央の比較的大きい中空筒体４１の中に金属等の弾性体４６が収容されている。弾性体４６が弾性を有しているので、図２の状態から両端を手で握って開くと、閉じる方向に復元力が生じる。着脱具４の両端には肉厚の合成樹脂製の保護用キャップ４７，４８がしっかりとはめられている。この着脱具４を本体の中空通路２１に挿入してから中空通路２１を閉じて、前掛け１は完成である。なお、図示しないが、家庭用の前掛けでは、着脱具４の両端が本体から露出する場合もある。
【００１２】
この前掛け１の使用方法は、上記説明から明らかなように、着用する時には、着脱具４の両端を手で握って開き、腰をその中に入れ、脱ぐときには、着脱具４の両端を手で握って開き、腰から外すだけでよい。ワンタッチ式であり、従来技術のように、ひもを結ぶ手間が省けて、効率的である。しかも、着脱具の両端はキャップで保護されているので、着用者の衣類や人を傷つけることがない。また、この保護用キャップが水分の浸透を防ぐため、環状部材の腐食を防止することができる。
【符号の説明】
【００１３】
１     前掛け
２     本体
２１   中空通路
４     着脱具
４１，４２，４３     合成樹脂製中空筒体
４４，４５    連結部
４６   弾性体
４７，４８    保護用キャップ
【先行技術文献】
【特許文献】
【００１４】
【特許文献１】実開昭５５−７６７号
【特許文献２】実開昭５７−１７６４１０号
【図１】
0003157347.tif 000003
【図２】
0003157347.tif 000004
【図３】
0003157347.tif 000005
(57)【要約】      （修正有）【課題】亡くなたペットの視覚、触感を思い出として残すため、ペットの毛を用いた耳かき又は刷毛並びにブラシを提供する。【解決手段】ペットの体毛を、耳かきの梵天として取付をする。又はペットの体毛を、刷毛やブラシの毛として取付をすることによりペットの忘れ形見を衛生的に提供することが出来るようにする。【選択図】図１
0003157363.tif 000002
【実用新案登録請求の範囲】
【請求項１】
耳かきであり
綿毛に使われる動物の毛が、ペットの毛である。
【請求項２】
刷毛であり
刷毛に使われる動物の毛が、ペットの毛である。
【請求項３】
ブラシであり
ブラシに使われる動物の毛が、ペットの毛である。
【考案の詳細な説明】
【技術分野】
【０００１】  本発明は、亡くなったペットの視覚、触感を思い出として残すための耳かき又は刷毛に関するものである。
【背景技術】
【０００２】長年生活を共にしてきたペットは、家族同然に生前の容姿を偲ばれ、飼い主は、写真や首輪などの形見をどこかに有することが多いが、汚れや傷みによる、視覚的な汚らしさや、不衛生さから、保管場所に困ることが多い。
【先行技術文献】
【０００３】ペットの容姿を残し、模型として体毛を用いる方法が有ったが、多くのペットを飼っている場合は、スペース的な問題が発生する。
【特許文献１】特開２００５−１６８８７８
【考案の概要】
【考案が解決しようとする課題】
【０００４】長年飼っていたペットの形見として体の一部を普段の生活品として身近に置いておきたいという希望を解決するものであり、第三者から見ても、衛生的で、かつ視覚的、触覚的に生前のペットを思い偲ぶ品であることを必要とする。
【課題を解決するための手段】
【０００５】ペットの体毛を、耳かきの綿毛として取付をする。
又はペットの体毛を、刷毛やブラシの毛として取付をする。
【考案の効果】
【０００６】  実用品にペットの体毛を用いることにより、より身近に形見を保管出来る。
第三者から見ても、衛生的で、かつ視覚的、触感的に生前のペットを思い偲ぶ品となる。
【写真の簡単な説明】
【０００７】
【写真１】
ペットの毛を綿毛に用いた耳かきの写真
【写真２】
ペットの毛を毛に用いた刷毛の写真
【写真３】
ペットの毛を毛に用いたブラシの写真
【符号の説明】
【０００８】        １  柄
２  綿毛（ペットの毛を用いる部分）
３  毛（ペットの毛を用いる部分）
0003157363.tif 000003
【手続補正書】
【提出日】平成21年7月14日(2009.7.14)
【手続補正１】
【補正対象書類名】明細書
【補正対象項目名】０００５
【補正方法】変更
【補正の内容】
【０００５】ペットの体毛を、耳かきの梵天として取付をする。
又はペットの体毛を、刷毛やブラシの毛として取付をする。
【手続補正２】
【補正対象書類名】明細書
【補正対象項目名】０００７
【補正方法】変更
【補正の内容】
【０００７】
【写真１】ペットの毛を梵天に用いた耳かきの写真
【写真２】ペットの毛を毛に用いた刷毛の写真
【写真３】ペットの毛を毛に用いたブラシの写真
【手続補正３】
【補正対象書類名】明細書
【補正対象項目名】０００８
【補正方法】変更
【補正の内容】
【０００８】１  柄
２  梵天（ペットの毛を用いる部分）
３  毛（ペットの毛を用いる部分）
【手続補正４】
【補正対象書類名】実用新案登録請求の範囲
【補正対象項目名】全文
【補正方法】変更
【補正の内容】
【実用新案登録請求の範囲】
【請求項１】
耳かきであり
梵天に使われる動物の毛が、ペットの毛である。
【請求項２】
刷毛であり
刷毛に使われる動物の毛が、ペットの毛である。
【請求項３】
ブラシであり
ブラシに使われる動物の毛が、ペットの毛である。
【請求項４】
梵天であり
梵天に使われる動物の毛が、ペットの毛である。
【手続補正書】
【提出日】平成21年10月13日(2009.10.13)
【手続補正１】
【補正対象書類名】実用新案登録請求の範囲
【補正対象項目名】全文
【補正方法】変更
【補正の内容】
【実用新案登録請求の範囲】
【請求項１】
梵天に使われる動物の毛がペットの毛である事を特徴とする耳かき。
【請求項２】
柄の先に取り付けられる動物の毛がペットの毛である事を特徴とする刷毛。
【請求項３】
柄の先に取り付けられる動物の毛がペットの毛である事を特徴とするブラシ。
【手続補正２】
【補正対象書類名】明細書
【補正対象項目名】全文
【補正方法】変更
【補正の内容】
【考案の詳細な説明】
【技術分野】
【０００１】本発明は、亡くなったペットの視覚、触感を思い出として残すための耳かき又は刷毛に関するものである。
【背景技術】
【０００２】長年生活を共にしてきたペットは、家族同然に生前の容姿を偲ばれ、飼い主は、写真や首輪などの形見をどこかに有することが多いが、汚れや傷みによる、視覚的な汚らしさや、不衛生さから、保管場所に困ることが多い。
【先行技術文献】
【０００３】ペットの容姿を残し、模型として体毛を用いる方法が有ったが、多くのペットを飼っている場合は、スペース的な問題が発生する。
【特許文献１】特開２００５−１６８８７８
【考案の概要】
【考案が解決しようとする課題】
【０００４】長年飼っていたペットの形見として体の一部を普段の生活品として
身近に置いておきたいという希望を解決するものであり、第三者から見ても、衛生的で、かつ視覚的、触覚的に生前のペットを思い偲ぶ品であることを必要とする。
【課題を解決するための手段】
【０００５】ペットの体毛を、耳かきの梵天として取付をする。
又はペットの体毛を、刷毛やブラシの毛として取付をする。
【考案の効果】
【０００６】  実用品にペットの体毛を用いることにより、より身近に形見を保管出来る。
第三者から見ても、衛生的で、かつ視覚的、触感的に生前のペットを思い偲ぶ品となる。
【図面の簡単な説明】
【０００７】
【図１】梵天にペットの毛を用いた耳かきを示した側面図である。
【図２】柄の先にペットの毛を取付けた刷毛又はブラシの側面図である。
【符号の説明】
【０００８】１  柄
２  梵天（ペットの毛を用いる部分）
３  毛（ペットの毛を用いる部分）
【手続補正２】
【補正対象書類名】図面
【補正対象項目名】全図
【補正方法】変更
【補正の内容】
【図１】
0003157363.tif 000004
【図２】
0003157363.tif 000005
(57)【要約】【課題】雨水が集水桝に流入しやすく、落葉等の塵芥が堆積し難い安全で景観がよい道路集水桝蓋を提供する。【解決手段】  集水桝蓋本体１の外枠２内に中心に向って上方から下方へ傾斜する傾斜板を補強板５を中心に左右対象に７枚づつ並設し、左右に並設された傾斜板のうち、各１番目の傾斜板３の傾斜角度を約２０°、２番目の傾斜板４の傾斜角度を約４５°とする。そして前記集水桝蓋本体１をコンクリート製の集水桝７の集水桝蓋受け枠６上に設置する【選択図】図２
0003157353.tif 000002
【実用新案登録請求の範囲】
【請求項１】
外枠内に外枠の中心方向に上方から下方に傾斜する傾斜板を適数枚左右対称に並設したことを特徴とする道路集水桝蓋。
【請求項２】
前記外枠内に設けられた傾斜板のうち、外側から１番目の傾斜板の傾斜角度を他の傾斜板の傾斜角度よりも、小さくしたことを特徴とする請求項１記載の道路集水桝蓋。
【請求項３】
外側から１番目の傾斜板の傾斜角度を約２０°、他の傾斜板の傾斜角度を約４５°としたことを特徴とする請求項１記載の道路集水桝蓋。
【考案の詳細な説明】
【技術分野】
【０００１】
本考案は、道路集水桝蓋に関するものである。
【背景技術】
【０００２】
一般道路では、車道と歩道を区分するＬ状の歩道境界ブロックが敷設されており、そのエプロン部に所定間隔おきに集水桝が設置されていて、その集水桝は安全のためコンクリート製や鋳鉄製の格子蓋あるいはグレーチング蓋が設けられているが、それぞれ次のような問題がある。
【０００３】
即ちコンクリート製蓋は、歩行の安全性は高いが、排水機能が低いという欠点があり、鋳鉄製格子蓋及びグレーチング蓋は、コンクリート製蓋に比し排水機能は高いが、その上を通過する女性が細い踵のハイヒールを履いていた場合は、踵がはまり、それによって足首をひねったり、転倒して負傷するおそれがある。またグレーチング蓋は特に集水桝内に堆積した落葉等の塵芥が透けて見え景観を損ねるという問題があった。更に、これらの集水桝蓋は、雨水の流入側に落葉やゴミが堆積して見苦しくなることが多かった。
【先行技術文献】
【特許文献】
【０００４】
【特許文献１】実開昭５２−５６９５９号公報
【特許文献２】実用新案公告第１０３７１号公報
【特許文献３】実公昭５１−１２３７号公報
【考案の概要】
【考案が解決しようとする課題】
【０００５】
そこで、本考案は、雨水が集水桝に流入しやすく、しかも落葉等の塵芥が堆積し難い安全で景観がよい道路集水桝蓋を提供しようとするものである。
【課題を解決するための手段】
【０００６】
本考案は、上記の課題を解決するためになされたもので、請求項１記載の考案は、外枠内に外枠の中心方向に上方から下方に傾斜する傾斜板を適数枚左右対称に並設したことを特徴とする道路集水桝蓋である。
【０００７】
また、請求項２記載の考案は、請求項１記載の考案において、前記傾斜板中の１番目に位置する傾斜板の傾斜角度を他の傾斜板の傾斜角度よりも小さくしたことを特徴とする道路集水桝蓋である。
【考案の効果】
【０００８】
請求項１記載の考案によれば、集水桝蓋上面の左右何れの方向から流れてくる雨水も傾斜板により流れ落ちやすく、また集水桝蓋を上面から見た時に集水桝内が傾斜板によりその大部分の視界を遮ることが出来るため景観を乱すことが少ない。
【０００９】
また、請求項２記載の考案によれば、外側から１番目の傾斜板の傾斜角度が２番目の傾斜板の傾斜角度よりも小さくしてあるので、落葉が傾斜板の間に流れ落ちやすくなるため、落葉が外枠の端部に堆積し難い。そして落葉が外枠の端部に堆積しないため、落葉等の塵芥による排水機能の低下を防ぐことが出来る効果がある。
【００１０】
なお、１番目の傾斜板の傾斜角度は約２０°、２番目の傾斜板の傾斜角度は約４５°が好ましい。
【図面の簡単な説明】
【００１１】
【図１】本考案の実施例１の平面図。
【図２】本考案の実施例１の横断側面図。
【図３】本考案の実施例１の作用を説明するための斜視図。
【実施例１】
【００１２】
図１は本考案の実施例１を示す平面図、図２はその横断側面図で、１は集水桝蓋本体、２は集水桝蓋本体１の外枠、３は傾斜角度を約２０°とした１番目の傾斜板、４は傾斜角度を約４５°とした２番目の傾斜板、５は外枠２の中央に設けられた補強板、６は集水桝蓋受け枠、７はコンクリート製の集水桝である。
【００１３】
傾斜板は図に示すように補強板５を中心に７枚づつ左右対称に並設されており、各傾斜板は、外枠の中心方向に上方から下方に傾斜して設けられ、１番目の傾斜板３の傾斜角度を約２０°とし、２番目以下の傾斜板の傾斜角度は約４５°になるように取付けられている。
【００１４】
従って実施例１によれば、傾斜板が一方方向に設けられている場合と違って左右から雨水がスムーズに集水桝７へ流れ落ちることができる。
【００１５】
また、１番目の傾斜板３の傾斜角度を小さく（実施例では約２０°）とし、２番目の傾斜角度を大きく（実施例では約４５°）しているため、１番目の傾斜板３に案内されて集水桝７に流れ落ちる落葉８は、図３に示すように２番目の傾斜板４を乗り越えることがないので、落葉８は外枠２附近に堆積することなく円滑に１番目の傾斜板３と２番目の傾斜板４の隙間を通って、集水桝内へ流れ落ち、従来のように外枠２の両端に落葉等の塵芥が堆積し難い。これにより、雨水が堆積物により遮蔽されて集水桝に流れないということを防ぐことができる。
【符号の説明】
【００１６】
１      集水桝蓋本体
２      外枠
３，４  傾斜板
５      補強板
６      集水桝蓋受け枠
７      集水桝
【図１】
0003157353.tif 000003
【図２】
0003157353.tif 000004
【図３】
0003157353.tif 000005
(57)【要約】      （修正有）【課題】腰に携えた筒型の小型送風機の吹き出し口を被服内で使用することにより、被服内に空気の流れをつくり気化熱を利用して暑さを和らげる送風機を提供する。【解決手段】小型の送風機は固定用の板を利用しベルトに引っ掛けて腰につける、またはズボンの胴回りに差し込んで腰に付ける。専用のポーチに収納し腰に付けても良い。送風機は固定用の板の向きを約１８０度変えることにより上向き、下向きを選択し、腰に付けることが出来る。被服内へ外気の取り込みをしたい場合は噴出し口を上向きにする。被服内の空気の抜き取りをしたい場合は噴出し口を下向きにする。固定板には柔軟性、耐久性を有する幅広の合成樹脂またはナイロンベルトを使用する。【選択図】図１
0003157357.tif 000002
【実用新案登録請求の範囲】
【請求項１】
小型の送風機を腰に携えて使用することにより被服内に空気の流れをつくり暑さを緩和するための小型送風機。
【考案の詳細な説明】
【技術分野】
【０００１】
本考案は腰に携えた筒型の小型送風機の吹き出し口を被服内で使用することにより、被服内に空気の流れをつくり気化熱を利用して暑さを和らげる為の送風機に関するものである。
【考案の開示】
【考案が解決しようとする課題】
【０００２】
従来、携帯して涼をとる道具といえば扇子、団扇、携帯用の小型扇風機があるが手で扇ぐ、手に持つといった動作が必要であった。また扇いで涼を取るという行為を控えなくてならない場面が多々あるという難点もある。
【課題を解決するための手段】
【０００３】
小型の送風機は固定用の板を利用しベルトに引っ掛けて腰につける、またはズボンの胴回りに差し込んで腰に付ける。専用のポーチに収納し腰に付けても良い。
【０００４】
送風機は固定用の版の向きを約１８０度変えることにより上向き下向きを選択し、腰に付けることが出来る。被服内へ外気の取り込みをしたい場合は噴出し口を上向きにする。被服内の空気の抜き取りをしたい場合は噴出し口を下向きにする。
【０００５】
固定版には柔軟性、耐久性を有する幅広の合成樹脂またはナイロンベルトを使用する。
【０００６】
電源には単三電池、単四電池、充電式電池いずれかを使用する。
【考案の効果】
【０００７】
この送風機の最大の特徴は立つ、座る、歩行中に手を使うことなく涼がとれるという点である。温暖化の影響で真夏の暑さは年々厳しさを増すばかりで外気温と体温により被服内の温度は驚くほど高くなる。扇子等で涼をとるにしても限界がある。被服内に空気の流れを作り出すことが出来れば気化熱の発生を促し暑さの緩和に随分役立つ。空気の流れは二通りの方法が選択できる。一つは送風機の噴出し口を被服内に入れ外気を取り込む方法、逆に送風機の吸い込み口を被服内に入れると被服内の空気を抜き取ることが出来る。また送風機を二つ三つと同時に使用することにより効果の倍増が期待できる。
【図面の簡単な説明】
【０００８】
【図１】送風機を上向きに装着した場合のイメージ図、矢印は空気の流れ
【図２】送風機を下向きに装着した場合の空気の流れ
【図３】固定版を下にした送風機側面図
【図４】固定版を上にした送風機側面図
【図５】送風機上面図
【図６】固定版を下にした送風機背面図
【図７】固定版を上にした送風機背面図
【図８】送風機噴出し口
【図９】送風機吸い込み口
【符号の説明】
【０００９】
１  送風機固定版
２  モーターとファン
３  電源
４  スイッチ
５  電源交換口
【図１】
0003157357.tif 000003
【図２】
0003157357.tif 000004
【図３】
0003157357.tif 000005
【図４】
0003157357.tif 000006
【図５】
0003157357.tif 000007
【図６】
0003157357.tif 000008
【図７】
0003157357.tif 000009
【図８】
0003157357.tif 000010
【図９】
0003157357.tif 000011
【手続補正書】
【提出日】平成21年8月8日(2009.8.8)
【手続補正１】
【補正対象書類名】実用新案登録請求の範囲
【補正対象項目名】全文
【補正方法】変更
【補正の内容】
【実用新案登録請求の範囲】
【請求項１】
中央に固定用の板を有し、空気の吸、排出口を備えたバッテリー    稼動の小型ファンを特徴とする携帯小型送風機。
(57)【要約】      （修正有）【課題】暑さ、寒さの調整ができ外観も見栄えがよくなるエコ障子を提供する。【解決手段】夏の暑さを和らげ、冬の短い時間の日差しを長く保つための省エネとして、主に開閉のできないアルミサッシ窓や片開きの窓に、障子戸の裏外枠に木製の枠をつけたものを固定して、窓と障子戸の間に隙間をつくるエコ障子。障子戸１の格子仕切りのない裏面外枠に、厚さ２ｃｍ〜３ｃｍの木製枠２を螺子３で取り付け、アルミサッシと同じ色の防腐・防カビ・防菌材塗料で塗り、その下部左右に結露用溝４を作る。木製枠を螺子３で取り付けるのは、障子の張替え時期に簡単に取り外しができるようにである。エコ障子とアルミサッシの取り付けには、アルミサッシ側に同色の３６０度回転する留め金（額縁の裏側に付いている）をつけて、固定する。【選択図】図１
0003157396.tif 000002
【実用新案登録請求の範囲】
【請求項１】
障子戸の裏側外枠に、厚み２ｃｍ〜３ｃｍの木製枠を取り付け、それをアルミサッシに固定することで、夏の日差しを和らげ、冬の短い時間の日差しの暖かさを長く保つことができるエコ障子。
【考案の詳細な説明】
【背景技術】
【０００１】  主に大きな窓、天窓のように開閉をしないアルミサッシ窓や、片開きのアルミサッシ窓には何の目隠しもしていないのが現状で、障子を取り付けることにより、暑さ、寒さの調整ができ外観も見栄えがよくなる。
【考案を実施するための最良の形態】
【０００２】  障子戸１の格子仕切りのない裏面外枠に、厚さ２ｃｍ〜３ｃｍの木製枠２を螺子３で取り付け、アルミサッシと同じ色の防腐・防カビ・防菌材塗料で塗り、その下部左右に結露用溝４を作る。木製枠を螺子３で取り付けるのは、障子の張替え時期に簡単に取り外しができるようにである。エコ障子とアルミサッシの取り付けには、アルミサッシ側に同色の３６０度回転する留め金（額縁の裏側に付いている）をつけて、固定する。
【図面の簡単な説明】
【０００３】
【図１】  本考案にかかるエコ障子。
【図２】  本考案にかかるエコ障子の木製枠。
【図３】  本考案にかかるエコ障子の表面。
【図４】  本考案にかかるエコ障子の裏面。
【符号の説明】
【０００４】エコ障子                  １０
障子戸                      １
木製枠                      ２
木製枠と障子の取り付け螺子  ３
木製枠下部結露用溝          ４
【図１】
0003157396.tif 000003
【図２】
0003157396.tif 000004
【図３】
0003157396.tif 000005
【図４】
0003157396.tif 000006
(57)【要約】【課題】この考案は、パソコン等の電子機器とプリンタ等の周辺機器を接続するコネクタに付ける、名札付きふたを提供する。【解決手段】コネクタに容易にケーブルを差し込む為のガイドとなる名札付きのふたである。【選択図】図１２
0003157395.tif 000002
【実用新案登録請求の範囲】
【請求項１】
パソコン等の電子機器とプリンタ等の周辺機器を接続するコネクタに付ける、名札付きふた。
【考案の詳細な説明】
【技術分野】
【０００１】  この考案は、パソコン等の電子機器とプリンタ等の周辺機器を接続するコネクタに付ける、名札付きふたに関するものである。
【背景技術】
【０００２】  従来、コネクタには様々な形態があり、その違いを目視で判断して接続を行っていた。
【考案の開示】
【考案が解決しようとする課題】
【０００３】  そのために、次のような問題点が生じていた。
（イ）コネクタの形状を正しく理解している者にしか接続を行うことができなかった。
（ロ）高さは違っていても幅が同じコネクタ（メス）があると、そこに間違ったコネクタ（オス）を接続してしまうことがあった。
（ハ）全く同じサイズのコネクタ（メス）だが、機能が違うコネクタ（オス）を接続してしまうことがあった。
（ニ）コネクタ（メス）にふたがないため、埃がたまりやすい状態であった。
（ホ）コネクタ（オス）は接続端子が露出しているため、破損しやすい状態にあった。
本考案は、以上の問題点を解決したものである。
【課題を解決するための手段】
【０００４】  コネクタの名称や、用途、アイコン等の情報を明示した名札とふたを一体化したものを、コネクタに装着する。
【考案の効果】
【０００５】  したがって、名札に書かれている名称や、用途、アイコン等の情報によって、コネクタをどこに接続すれば良いのかが一目で分かり、マニュアル等を参照しなくてもパソコン等の電子機器とプリンタ等の付属機器の接続が容易にできるようになった。
【考案を実施するための最良の形態】
【０００６】以下、本考案の実施の形態について説明をする。
（イ）コネクタの形状に合わせたふたを設ける。
（ロ）ふたと一体化した名札を設ける。
本考案は以上の構成からなる、コネクタに装着する名札付きふたである。
以下、使用法について説明する。
パソコン等販売時に名札付きふたを装着しておく。プリンタ等の付属機器を接続する場合は名札を見て、該当するふたを外し、そこへコネクタを接続する。
コネクタの形状ではなく名称で判断するため、専門知識がなくてもコネクタを正しく接続することができる。
【図面の簡単な説明】
【０００７】
【図１】ふた部分  形状例１  側面図
【図２】ふた部分  形状例２  側面図
【図３】ふた部分  形状例３  側面図
【図４】ふた部分  形状例１  平面図
【図５】ふた部分  形状例２  平面図
【図６】ふた部分  形状例３  平面図
【図７】名札部分  平面図
【図８】ふた＋名札  側面図
【図９】ふた＋名札  形状例１  平面図
【図１０】ふた＋名札  形状例２  平面図
【図１１】ふた＋名札  形状例３  平面図
【図１２】ふた＋名札  斜面図
【図１３】コネクタ（オス）へのふた＋名札  使用例
【図１４】コネクタ（メス）へのふた＋名札  使用例
【図１】
0003157395.tif 000003
【図２】
0003157395.tif 000004
【図３】
0003157395.tif 000005
【図４】
0003157395.tif 000006
【図５】
0003157395.tif 000007
【図６】
0003157395.tif 000008
【図７】
0003157395.tif 000009
【図８】
0003157395.tif 000010
【図９】
0003157395.tif 000011
【図１０】
0003157395.tif 000012
【図１１】
0003157395.tif 000013
【図１２】
0003157395.tif 000014
【図１３】
0003157395.tif 000015
【図１４】
0003157395.tif 000016
(57)【要約】【課題】  つまようじケースを携帯することを忘れたり、つまようじの補充を忘れたりすることが無く、衛生的なストラップ付きつまようじケースを得る。【解決手段】  中空の収納室１１aを有するつまようじケース本体１１と、上記収納室１１ａに収納されたつまようじ２０と、上記つまようじケース本体１１のフタ１２と、上記ケース本体１１とフタ１２を接続するストラップ紐体接続部１３と、このストラップ紐体接続部に接続するストラップ紐体３０とを備える。【選択図】  図１
0003157076.tif 000002
【実用新案登録請求の範囲】
【請求項１】
中空の収納室を有するつまようじケース本体と、上記収納室に収納されたつまようじと、上記ケース本体のフタと、上記ケース本体とフタを接続するストラップ紐体接続部と、このストラップ紐体接続部に接続するストラップ紐体とを備えたことを特徴とする、ストラップ付きつまようじケース。
【考案の詳細な説明】
【技術分野】
【０００１】
本考案は、携帯電話またはキー等に接続する、ストラップが付いたつまようじケースに関するものである。
【背景技術】
【０００２】
老若男女問わず食事をするにあたり、食べカスは歯に残りやすく、それを素早く簡単に掃除する為に、自宅や出先、どこで食事をしたとしても、食後につまようじを必要としている人は多い。しかし、つまようじは使用したい時に、いつでもどこでもあるとは限らない。つまようじを持ち歩いたとしても、いざ使用したい際には、形状が小さい為、バッグやポケットの中を探さなくてはいけない。よって、安全なケースに入れていないと、つまようじの先端が尖っているため、刺さって怪我をする恐れもある。
【０００３】
従来のつまようじケースとしては、つまようじを収納した携帯用ケースがある。（例えば、特許文献１参照）
【０００４】
また、筆記用具や化粧道具などの幅広い種類の小物を収納できる携帯ストラップがある。（特許文献２参照）
【先行技術文献】
【特許文献】
【０００５】
【特許文献１】特開平７−２５５５１９号公報
【特許文献２】特開２００２−１７４２５号公報
【考案の概要】
【考案が解決しようとする課題】
【０００６】
上述のような従来のつまようじケースは、ストラップ紐が無いので、携帯すること事態や、つまようじの補充を忘れていたり、常に持ち歩く事ができないという問題点があった。また、小物を収納できる携帯ストラップは、筆記用具、化粧道具を収納するものでもあり、不衛生であるという問題点があった。
【０００７】
この考案は、上述のような問題点を解決する為になされたもので、つまようじケース自体を携帯する事を忘れたり、つまようじの補充を忘れたりすることがなく、衛生的なストラップ付きつまようじケースを得ることを目的とする。
【課題を解決するための手段】
【０００８】
この考案のストラップ付きつまようじケースは、中空の収納室を有するつまようじケース本体と、上記収納室に収納されたつまようじと、上記ケース本体のフタと、上記ケース本体とフタを接続するストラップ紐体接続部と、このストラップ紐体接続部に接続するストラップ紐体とを備えたものである。
【考案の効果】
【０００９】
この考案のストラップ付きつまようじケースは、中空の収納室を有するつまようじケース本体と、上記収納室に収納されたつまようじと、上記ケース本体のフタと、上記ケース本体とフタを接続するストラップ紐体接続部と、このストラップ紐体接続部に接続するストラップ紐体とを備え、ストラップ紐体が携帯電話やキー等に接続されるので、携帯する事を忘れたり、つまようじの補充を忘れる事が無くなると共に、専用のつまようじケースなので、極めて衛生的である。
【図面の簡単な説明】
【００１０】
【図１】この考案の実施例１を示すストラップ付きつまようじケースの一部を切り欠いた斜視図である。
【図２】この考案の実施例１のストラップ付きつまようじケースのフタを開けた状態を示す一部を切り欠いた斜視図である。
【考案を実施するための形態】
【実施例１】
【００１１】
図１は、この考案の実施例１のストラップ付きつまようじケースを示す一部を切り欠いた斜視図である。図２はストラップ付きつまようじケースのフタを開けた状態を示す一部を切り欠いた斜視図である。図において、１０はつまようじケースであり、例えば、合成樹脂で形成され、中空の収納室１１ａを有するケース本体１１と、例えば、合成樹脂で形成されたフタ１２と、ストラップ紐体接続部１３とで構成されている。ストラップ紐体接続部１３は、一端がケース本体１１に、他端がフタ１２に容易に外れない様に溶着または接着等により固着されていて、フタ１２を開けた時に、紛失しないようになっている。２０はつまようじであり、ケース本体１１の中に複数本収納されている。３０はストラップ紐体であり、ストラップ紐体３０の一端をストラップ紐体接続部１３に結び付けて固着し、他端を携帯電話やキー等と接続する。
【００１２】
なお、つまようじケース１０は、金属、布、木、またはガラス等で形成しても良い。色や模様は、素材によって様々に展開することが可能である。
【００１３】
また、つまようじケース１０の形状は、収納物であるつまようじ２０が細長く小さい形体である事を生かし、形状は円筒（図１に示す）、図示しないが中空の角柱や中空の楕円型等、様々な形状に形成でき、使用者や提供者の好みに合った形状を提案できる。また、つまようじケース１０の大きさは、つまようじ２０を１〜５本程度収納できる薄型のつまようじケース１０や、つまようじ２０を６〜数十本収納できる中型から大型のつまようじケース１０を形成することができることから、前者はスマートなストラップを求めている人に向いており、後者は大きなストラップを求めている人、または、多数のつまようじ２０を携帯したい人に向いている。
【００１４】
つまようじケース１０はシンプルな形状である為、ケース本体１１、またはフタ１２に広告や社名等の掲載されているシール等を張り付けたり、印刷することにより、宣伝やノベルティーとしても使用できるメリットがある。また、マスコット等をつまようじケース１０に付属させることにより、より個性を出す事も可能である。ノベルティーとして提供する場合、安価で作成ができ、形状が小さい事により広い保管場所を必要としない為、提供者への負担が少ないというメリットもある。
【００１５】
上述の様に構成されたストラップ付きつまようじケースの使用方法を図１に基づき説明する。まず、ケース本体１１の中につまようじ２０を複数本収納する。次に、フタ１２を閉める。ストラップ紐体３０の一端を携帯電話または、キー等に接続する。次に、食後のつまようじ２０が必要な時に、フタ１２を開けて、つまようじ２０を取り出し、使用する。
【００１６】
このように構成されたストラップ付きつまようじケースは、ストラップ紐体３０が携帯電話やキー等に接続されるので、携帯する事を忘れたり、つまようじ２０の補充を忘れる事が無くなると共に、専用のつまようじケース１０なので、極めて衛生的である。
【符号の説明】
【００１７】
１０  つまようじケース  、１１  つまようじケース本体  、１２  フタ  、１３  ストラップ紐体接続部  、２０  つまようじ  、３０  ストラップ紐体
【図１】
0003157076.tif 000003
【図２】
0003157076.tif 000004
(57)【要約】      （修正有）【課題】 ＡＣアダプターに接続して用い、ＡＣアダプターの設置により減ったコンセント口を増大するノートパソコン用の電源中継ケーブルを提供する。【解決手段】ケーブル２の先端に、ノートパソコン用のＡＣアダプタのインレットに接続するソケット４を取り付け、他端には、コンセント口に差し込む電源プラグ１を取り付け、ケーブル２の先端のソケット４付近にコンセント口３を取り付ける。この電源中継ケーブルは、コンセント口３に電源プラグを差し込んで接続する。このようにして、この電源中継ケーブルを用いることで、ノートパソコン用のＡＣアダプタと電化製品に電源を供給する事が出来る。【選択図】図２
0003157072.tif 000002
【実用新案登録請求の範囲】
【請求項１】
ＡＣアダプタ用の電源ケーブルであって、ＡＣアダプタ本体のコネクタに接続するソケットの途中にコンセント口を取り付けて構成したパソコン用の電源中継ケーブル。
【請求項２】
ＡＣ電源ケーブルであって、ソケットの途中にコンセント口を取り付けて構成した電源ケーブル
【考案の詳細な説明】
【技術分野】
【０００１】
この考案は、ノートパソコンのＡＣアダプタの電源ケーブルに接続して用い、ノートパソコンとＡＣ電源コンセントを必要とする電化製品とを同時に接続可能としたＡＣアダプタ用の電源中継ケーブルに関するものである。
【背景技術】
【０００２】
従来、ＡＣアダプターに電源を供給するため、ＡＣ電源コンセントとＡＣアダプタとを接続する電源ケーブルは、図３に示すようなものが用いられている。この電源ケーブルは、ケーブルの一端にコンセント口に差し込む電源用プラグ１０、他端にＡＣアダプタのコネクタに差し込むソケット１２（メス）を取り付けた構成で、一般にノートパソコン本体の付属品として送付されている。
【先行技術文献】
【特許文献】
【０００３】
【特許文献１】実用新案登録第３０７６９６８号（Ｕ３０７６９６８）
【特許文献２】特開２０００−１２２７６４（Ｐ２０００−１２２７６４Ａ）
【考案の概要】
【考案が解決しようとする課題】
【０００４】
家庭やオフィスやホテルでのノートパソコンの設置には、ノートパソコン本体のほか、電化製品もＡＣ電源コンセントに接続しなければならず、コンセント口の不足を生じる。
【０００５】
この考案は、こうした課題を解決することを目的とするもので、ノートパソコン本体に付属するＡＣアダプター用の電源ケーブルに接続して用い、パソコン本体と電化製品とを同時に接続可能としたＡＣアダプター用の電源中継ケーブルを提供し、ノートパソコンの設置により減少したコンセント口を増やす事を目的とするものである。
【課題を解決するための手段】
【０００６】
上記の課題を解決するため、この考案のＡＣアダプター用の電源中継ケーブルは、ケーブル途中のコンセント口３に、電化製品のプラグを接続するものである。そして、この電源中継ケーブルをノートパソコン用のＡＣアダプターに接続し、ノートパソコンと電化製品とを同時に接続可能にするものである。
【考案の効果】
【０００７】
この考案は以上のように構成され、この電源中継ケーブルを用いることで、ノートパソコン本体と電化製品とを同時に接続することができ、ノートパソコンの設置により減少したコンセント口を増やすことができる。
【０００８】
また、この考案の電源中継ケーブルは、独立したパソコン用のアクセサリパーツとして製造・販売することが可能であり、大きな商品価値を有するものである。
【図面の簡単な説明】
【０００９】
【図１】本考案を模式的に示した平面図
【図２】本考案を横置きに示した平面図
【図３】従来の物を模式的に示した平面図
【考案を実施するための最良の形態】
【００１０】
以下に、この考案の実施の形態を、図面に基づいて説明する。
この考案の電源中継ケーブルは、図１に示すように構成され、ケーブル２の先端には、ノートパソコン用のＡＣアダプタのインレットに接続するソケット４を取り付け、他端には、コンセント口に差し込む電源プラグ１を取り付け、ケーブル２の先端のソケット４付近にコンセント口３を取り付けている。
【００１１】
この電源中継ケーブルは、コンセント口３に電源プラグを差し込んで接続する。このようにして、この電源中継ケーブルを用いることで、ノートパソコン用のＡＣアダプタと電化製品に電源を供給する事が出来る
【符号の説明】
【００１２】
１    電源プラグ
２    ケーブル
３    コンセント口
４    ソケット
１０  電源プラグ
１１  ケーブル
１２  ソケット
【図１】
0003157072.tif 000003
【図２】
0003157072.tif 000004
【図３】
0003157072.tif 000005